(57)【特許請求の範囲】
【請求項１】
被写体を撮像して当該被写体を示す画像情報を取得する撮像手段と、
前記撮像手段によって取得された画像情報を記憶するための記憶手段と、
前記撮像手段によって取得された画像情報により示される被写体を表示する表示手段と、
本撮影に先立って、前記撮像手段による撮像方向が所定方向に連続的に移動された状態で前記撮像手段によって連続的に取得された画像情報を予備撮影画像情報として前記記憶手段に記憶する予備撮影を行う予備撮影手段と、
本撮影を行う際に、前記表示手段に対し、前記撮像手段によって連続的に取得された画像情報により示される被写体がリアルタイムで連続的に表示されるように制御すると共に、前記記憶手段によって記憶された前記予備撮影画像情報により示される被写体が予め定められた速度で等速に移動するように表示されるように制御する制御手段と、
を備えたデジタルカメラ。
【請求項２】
前記制御手段は、前記リアルタイムで連続的に表示される被写体と、前記予備撮影画像情報により示される被写体とを、前記所定方向に直交する方向に並べて表示するように前記表示手段を制御する
請求項１記載のデジタルカメラ。
【請求項３】
前記予め定められた速度は、Ｎを前記撮像手段によるフレームレートとし、Ｘを前記所定方向に対する前記撮像手段の画素数とし、ΔＸを前記予備撮影画像情報により示される被写体の時間的に隣接するフレーム画像間の移動画素数としたとき、次の式により示される関係が成り立つ速度である
【数１】
0004828486.tif 000005
請求項１又は請求項２記載のデジタルカメラ。
【請求項４】
前記制御手段は、前記予備撮影画像情報に対するフレーム画像情報の削除及びフレーム画像情報の挿入の少なくとも一方によって前記被写体が等速に移動するように表示されるように制御する
請求項１〜請求項３の何れか１項記載のデジタルカメラ。
【請求項５】
前記制御手段は、前記本撮影を行う際に、前記撮像手段によって取得された画像情報により示される被写体の各フレーム画像間の移動量が増加状態から略一定量状態に移行した時点で撮影開始を指示する指示情報を出力し、前記移動量が前記略一定量状態から減少状態に移行した時点で撮影終了を指示する指示情報を出力するように制御する
請求項１〜請求項４の何れか１項記載のデジタルカメラ。
【請求項６】
前記本撮影に先立ち、前記予備撮影画像情報により示される複数の被写体が撮影時間順かつ連続的に表示手段により表示されている状態で、本撮影を開始したい被写体が表示された第１のタイミングと本撮影を終了したい被写体が表示された第２のタイミングで操作される操作手段と、
前記第１のタイミングを示す情報を撮影開始情報として記憶すると共に、前記第２のタイミングを示す情報を撮影終了情報として記憶する撮影タイミング記憶手段と、
を更に備え、
前記制御手段は、前記本撮影を行う際に、前記撮影開始情報により示される第１のタイミングに対応する被写体が前記表示手段により表示された時点で撮影開始を指示する指示情報を出力し、前記撮影終了情報により示される第２のタイミングに対応する被写体が前記表示手段により表示された時点で撮影終了を指示する指示情報を出力するように制御する
請求項１〜請求項４の何れか１項記載のデジタルカメラ。
【請求項７】
前記制御手段は、前記本撮影を行う際に、当該本撮影によって得られた画像情報を本撮影画像情報として前記記憶手段に記憶する制御を行い、前記本撮影画像情報により示される被写体の表示を指示する指示情報が入力されたとき、前記本撮影画像情報により示される被写体と、当該本撮影画像情報に対応する前記予備撮影画像情報により示される被写体とを並べて表示するように前記表示手段を制御する
請求項１〜請求項６の何れか１項記載のデジタルカメラ。
【請求項８】
前記制御手段は、前記本撮影画像情報を、対応する前記予備撮影画像情報に関連付けて前記記憶手段に記憶する
請求項７記載のデジタルカメラ。
【請求項９】
被写体を撮像して当該被写体を示す画像情報を取得する撮像手段と、前記撮像手段によって取得された画像情報により示される被写体を表示する表示手段とを備えたデジタルカメラの撮影方法であって、
本撮影に先立って、前記撮像手段による撮像方向が所定方向に連続的に移動された状態で前記撮像手段によって連続的に取得された画像情報を予備撮影画像情報として記憶手段に記憶する予備撮影を行う予備撮影工程と、
本撮影を行う際に、前記表示手段に対し、前記撮像手段によって連続的に取得された画像情報により示される被写体がリアルタイムで連続的に表示されるように制御すると共に、前記記憶手段によって記憶された前記予備撮影画像情報により示される被写体が予め定められた速度で等速に移動するように表示されるように制御する制御工程と、
を有する撮影方法。
【請求項１０】
被写体を撮像して当該被写体を示す画像情報を取得する撮像手段と、前記撮像手段によって取得された画像情報により示される被写体を表示する表示手段とを備えたデジタルカメラによって実行される撮影プログラムであって、
本撮影に先立って、前記撮像手段による撮像方向が所定方向に連続的に移動された状態で前記撮像手段によって連続的に取得された画像情報を予備撮影画像情報として記憶手段に記憶する予備撮影を行う予備撮影ステップと、
本撮影を行う際に、前記表示手段に対し、前記撮像手段によって連続的に取得された画像情報により示される被写体がリアルタイムで連続的に表示されるように制御すると共に、前記記憶手段によって記憶された前記予備撮影画像情報により示される被写体が予め定められた速度で等速に移動するように表示されるように制御する制御ステップと、
をコンピュータに実行させる撮影プログラム。
【発明の詳細な説明】
【技術分野】
【０００１】
本発明は、デジタルカメラ、撮影方法及び撮影プログラムに係り、特に、撮像により得られた被写体を表示する表示手段を有するデジタルカメラ、当該デジタルカメラによる撮影方法、及び当該デジタルカメラで実行される撮影プログラムに関する。
【背景技術】
【０００２】
近年、ＣＣＤ（Charge Coupled Device）エリアセンサ、ＣＭＯＳ（Complementary Metal Oxide Semiconductor）イメージ・センサ等の固体撮像素子の高解像度化に伴い、デジタル電子スチルカメラ、デジタルビデオカメラ、携帯電話機、ＰＤＡ（Personal Digital Assistant，携帯情報端末）等の撮影機能を有する情報機器の需要が急増している。なお、本明細書では、以上のような固体撮像素子を用いた撮影機能を有する情報機器を「デジタルカメラ」と称する。
【０００３】
ところで、上記デジタルビデオカメラはもとより、他の静止画像の撮影が主目的とされたデジタルカメラにおいても動画像を撮影する機能（以下、「動画撮影機能」という。）や連写機能を有するものが増加してきた。
【０００４】
一方、この種の動画撮影機能や連写機能を有するデジタルカメラの利用形態として、デジタルカメラを移動させた状態で動画像の撮影や連写を行う利用形態の他、当該動画像の撮影や連写により得られた複数枚の画像をつなぎ合わせてパノラマ静止画像を作成する利用形態がある。
【０００５】
ここで、上記動画像の撮影を行う利用形態、上記連写を行う利用形態、上記パノラマ静止画像を作成する利用形態の何れの場合においても、デジタルカメラをパン（Pan）する速度やチルト（Tilt）する速度等のデジタルカメラの移動速度にムラがあることは、撮影によって得られた画像を再生したときに非常に見苦しい画像が表示されたり、パノラマ静止画像の作成に用いる画像の幅にもムラが生じてしまう結果、画像がうまくつながらなかったりする、といった問題があった。
【０００６】
この問題を解決するために適用できる技術として、特許文献１には、カメラ一体型ＶＴＲにおいて、電子式ビューファインダ等に手振れ状態やパンニング速度等を表示することにより、カメラ撮りに不慣れなユーザでも安定した撮影を可能にすることを目的として、筐体の動きを検出する第１の手段と、該第１の手段の出力を基に、前記筐体が水平方向又は垂直方向の少なくとも一方に手振れ補正範囲を越える度数を計算する第２の手段と、前記第１の手段の出力を基に前記筐体の水平方向又は垂直方向の少なくとも一方の動きを所定の時間積分する第３の手段と、手振れが大きいことを表示する第４の手段と、を備え、前記第２の手段の出力が予め定められた第１の基準値を越えており、かつ前記第３の手段の出力が予め定められた第２の基準値よりも小さい時に、前記第４の手段による表示を行う技術が開示されている。
【０００７】
この技術によれば、動きベクトル検出器により画像の動きを検出し、当該動きベクトル検出器の出力を基にマイコンにより、手振れ補正範囲を越えた場合の頻度と量を計算し、当該計算結果に応じてキャラクタジェネレータを制御し、手振れ等を表示するための文字やパターンを発生させ、モニタ信号処理回路においてビデオ信号に混合し、電子式ビューファインダに供給する。
【０００８】
また、特許文献２には、パノラマ撮影時のパンニング状態をビューファインダ等に表示することにより、適正なパンニング操作を行えるようにすることを目的として、被写体を撮像して作成した複数枚の画像をつなぎ合わせてパノラマ静止画像を作成する装置であって、筐体の水平方向及び垂直方向の動きを検出する第１の手段と、該第１の手段の出力を基にパンニング速度と適正値との関係を判別する第２の手段と、該第２の手段の出力を基にパンニング速度と適正値との関係を表示する第３の手段とを備えた技術が開示されている。
【０００９】
この技術によれば、パノラマ静止画像作成装置をパンニングしてパノラマ静止画像を作成するときに、筐体の動きを検出し、パンニング状態をビューファインダ等に表示するにあたり、パンニングインジケータが画面中央にある場合はパンニング速度が適正であることを示し、パンニング方向にある場合には速度が速すぎることを示し、パンニング方向と反対方向にある場合には速度が遅すぎることを示す。
【特許文献１】特開平６−３０３４９５号公報
【特許文献２】特開平８−２２３４８１号公報
【発明の開示】
【発明が解決しようとする課題】
【００１０】
しかしながら、上記特許文献１及び特許文献２に開示されている技術では、パンニングの状態を表示するために、文字、パターン、パンニングインジケータを表示しているため、これらの表示に対して撮影対象とする被写体よりも注目してしまい、被写体の状態に応じた適切な撮影を行うことができない場合がある、という問題点があった。
【００１１】
本発明は上記問題点を解決するためになされたものであり、被写体の状態に応じた適切な撮影を行うことができるデジタルカメラ、撮影方法及び撮影プログラムを提供することを目的とする。
【課題を解決するための手段】
【００１２】
上記目的を達成するために、請求項１に記載のデジタルカメラは、被写体を撮像して当該被写体を示す画像情報を取得する撮像手段と、前記撮像手段によって取得された画像情報を記憶するための記憶手段と、前記撮像手段によって取得された画像情報により示される被写体を表示する表示手段と、本撮影に先立って、前記撮像手段による撮像方向が所定方向に連続的に移動された状態で前記撮像手段によって連続的に取得された画像情報を予備撮影画像情報として前記記憶手段に記憶する予備撮影を行う予備撮影手段と、本撮影を行う際に、前記表示手段に対し、前記撮像手段によって連続的に取得された画像情報により示される被写体がリアルタイムで連続的に表示されるように制御すると共に、前記記憶手段によって記憶された前記予備撮影画像情報により示される被写体が予め定められた速度で等速に移動するように表示されるように制御する制御手段と、を備えている。
【００１３】
請求項１に記載のデジタルカメラによれば、撮像手段により、被写体が撮像されて当該被写体を示す画像情報が取得され、記憶手段により、前記撮像手段によって取得された画像情報が記憶され、表示手段により、前記撮像手段によって取得された画像情報により示される被写体が表示される。
【００１４】
なお、上記撮像手段には、ＣＣＤエリアセンサ、ＣＭＯＳイメージ・センサ等の固体撮像素子が含まれる。また、上記記憶手段には、ＲＡＭ（Random Access Memory）、ＥＥＰＲＯＭ（Electrically Erasable and Programmable Read Only Memory）、フラッシュＥＥＰＲＯＭ（Flash EEPROM）等の半導体記憶素子、ｘＤピクチャカード（登録商標）、フレキシブルディスク等の可搬記録媒体やハードディスク等の固定記録媒体、或いはネットワークに接続されたサーバ・コンピュータ等に設けられた外部記憶装置等が含まれる。更に、上記表示手段には、液晶ディスプレイ装置、プラズマ・ディスプレイ装置、有機ＥＬディスプレイ装置等の各種ディスプレイ装置が含まれる。
【００１５】
ここで、本発明では、予備撮影手段により、本撮影に先立って、前記撮像手段による撮像方向が所定方向に連続的に移動された状態で前記撮像手段によって連続的に取得された画像情報が予備撮影画像情報として前記記憶手段に記憶される。
【００１６】
そして、本発明では、制御手段により、本撮影が行われる際に、前記表示手段に対し、前記撮像手段によって連続的に取得された画像情報により示される被写体がリアルタイムで連続的に表示されるように制御されると共に、前記記憶手段によって記憶された前記予備撮影画像情報により示される被写体が予め定められた速度で等速に移動するように表示されるように制御される。
【００１７】
従って、本発明に係るデジタルカメラのユーザは、本撮影を行う際に、表示手段によりリアルタイムで表示されている被写体が、予備撮影によって得られ、かつ予め定められた速度で等速移動する被写体に追随するように本発明に係るデジタルカメラの撮影方向を移動させることにより、当該撮影方向の移動速度が略等速となり、ムラのないように本撮影を行うことができる。この際、撮影方向の移動を等速移動とするために参照する画像を、予備撮影によって得られた同一の被写体としているため、違和感のない撮影を行うことができる結果、被写体の状態に応じた適切な撮影を行うことができる。
【００１８】
このように、請求項１に記載のデジタルカメラによれば、被写体を撮像して当該被写体を示す画像情報を取得する撮像手段と、前記撮像手段によって取得された画像情報により示される被写体を表示する表示手段とを備え、本撮影に先立って、前記撮像手段による撮像方向が所定方向に連続的に移動された状態で前記撮像手段によって連続的に取得された画像情報を予備撮影画像情報として記憶手段に記憶する予備撮影を行い、本撮影を行う際に、前記表示手段に対し、前記撮像手段によって連続的に取得された画像情報により示される被写体がリアルタイムで連続的に表示されるように制御すると共に、前記記憶手段によって記憶された前記予備撮影画像情報により示される被写体が予め定められた速度で等速に移動するように表示されるように制御しているので、被写体の状態に応じた適切な撮影を行うことができる。
【００１９】
なお、本発明のデジタルカメラには、デジタル電子スチルカメラ、デジタルビデオカメラ、携帯電話機、ＰＤＡ等の撮影機能を有する情報機器が含まれる。
【００２０】
また、本発明は、請求項２に記載の発明のように、前記制御手段が、前記リアルタイムで連続的に表示される被写体と、前記予備撮影画像情報により示される被写体とを、前記所定方向に直交する方向に並べて表示するように前記表示手段を制御してもよい。これにより、より違和感なく本撮影を行うことができる結果、より被写体の状態に応じた適切な撮影を行うことができる。
【００２１】
また、本発明は、請求項３に記載の発明のように、前記予め定められた速度が、Ｎを前記撮像手段によるフレームレートとし、Ｘを前記所定方向に対する前記撮像手段の画素数とし、ΔＸを前記予備撮影画像情報により示される被写体の時間的に隣接するフレーム画像間の移動画素数としたとき、次の式により示される関係が成り立つ速度であるものとしてもよい。
【００２２】
【数１】
0004828486.tif 000002
これにより、本撮影によって得られる画像情報により示される被写体を、撮影方向の移動方向に対するぶれが少ない状態とすることができる結果、高品質な画像情報を得ることができる。
【００２３】
また、本発明は、請求項４に記載の発明のように、前記制御手段が、前記予備撮影画像情報に対するフレーム画像情報の削除及びフレーム画像情報の挿入の少なくとも一方によって前記被写体が等速に移動するように表示されるように制御してもよい。これにより、予備撮影によって得られた被写体の画像を、より簡易に等速移動されるように表示することができる。
【００２４】
また、本発明は、請求項５に記載の発明のように、前記制御手段が、前記本撮影を行う際に、前記撮像手段によって取得された画像情報により示される被写体の各フレーム画像間の移動量が増加状態から略一定量状態に移行した時点で撮影開始を指示する指示情報を出力し、前記移動量が前記略一定量状態から減少状態に移行した時点で撮影終了を指示する指示情報を出力するように制御してもよい。これにより、本撮影時における撮影範囲を、デジタルカメラの移動速度が略等速となっている範囲内とすることができる結果、より高品質な画像情報を得ることができる。
【００２５】
また、本発明は、請求項６に記載の発明のように、前記本撮影に先立ち、前記予備撮影画像情報により示される複数の被写体が撮影時間順かつ連続的に表示手段により表示されている状態で、本撮影を開始したい被写体が表示された第１のタイミングと本撮影を終了したい被写体が表示された第２のタイミングで操作される操作手段と、前記第１のタイミングを示す情報を撮影開始情報として記憶すると共に、前記第２のタイミングを示す情報を撮影終了情報として記憶する撮影タイミング記憶手段と、を更に備え、前記制御手段が、前記本撮影を行う際に、前記撮影開始情報により示される第１のタイミングに対応する被写体が前記表示手段により表示された時点で撮影開始を指示する指示情報を出力し、前記撮影終了情報により示される第２のタイミングに対応する被写体が前記表示手段により表示された時点で撮影終了を指示する指示情報を出力するように制御してもよい。これにより、本撮影時における撮影範囲をユーザによる所望の範囲とすることができる結果、より確実に所望の被写体を撮影することができる。
【００２６】
また、本発明は、請求項７に記載の発明のように、前記制御手段が、前記本撮影を行う際に、当該本撮影によって得られた画像情報を本撮影画像情報として前記記憶手段に記憶する制御を行い、前記本撮影画像情報により示される被写体の表示を指示する指示情報が入力されたとき、前記本撮影画像情報により示される被写体と、当該本撮影画像情報に対応する前記予備撮影画像情報により示される被写体とを並べて表示するように前記表示手段を制御してもよい。これにより、予備撮影時に得られた画像と、本撮影時に得られた画像を同時に参照することができる結果、これらの画像を容易に比較検討することができる。
【００２７】
特に、請求項７に記載の発明は、請求項８に記載の発明のように、前記制御手段が、前記本撮影画像情報を、対応する前記予備撮影画像情報に関連付けて前記記憶手段に記憶してもよい。これにより、本撮影画像情報と、これに対応する予備撮影画像情報とを容易に特定することができる結果、各画像情報の管理を容易に行うことができる。
【００２８】
一方、上記目的を達成するために、請求項９に記載の撮影方法は、被写体を撮像して当該被写体を示す画像情報を取得する撮像手段と、前記撮像手段によって取得された画像情報により示される被写体を表示する表示手段とを備えたデジタルカメラの撮影方法であって、本撮影に先立って、前記撮像手段による撮像方向が所定方向に連続的に移動された状態で前記撮像手段によって連続的に取得された画像情報を予備撮影画像情報として記憶手段に記憶する予備撮影を行う予備撮影工程と、本撮影を行う際に、前記表示手段に対し、前記撮像手段によって連続的に取得された画像情報により示される被写体がリアルタイムで連続的に表示されるように制御すると共に、前記記憶手段によって記憶された前記予備撮影画像情報により示される被写体が予め定められた速度で等速に移動するように表示されるように制御する制御工程と、を有する。
【００２９】
従って、請求項９に記載の撮影方法によれば、請求項１に記載の発明と同様に作用するので、請求項１に記載の発明と同様に、被写体の状態に応じた適切な撮影を行うことができる。
【００３０】
一方、上記目的を達成するために、請求項１０に記載の撮影プログラムは、被写体を撮像して当該被写体を示す画像情報を取得する撮像手段と、前記撮像手段によって取得された画像情報により示される被写体を表示する表示手段とを備えたデジタルカメラによって実行される撮影プログラムであって、本撮影に先立って、前記撮像手段による撮像方向が所定方向に連続的に移動された状態で前記撮像手段によって連続的に取得された画像情報を予備撮影画像情報として記憶手段に記憶する予備撮影を行う予備撮影ステップと、本撮影を行う際に、前記表示手段に対し、前記撮像手段によって連続的に取得された画像情報により示される被写体がリアルタイムで連続的に表示されるように制御すると共に、前記記憶手段によって記憶された前記予備撮影画像情報により示される被写体が予め定められた速度で等速に移動するように表示されるように制御する制御ステップと、をコンピュータに実行させる。
【００３１】
従って、請求項１０に記載の撮影プログラムによれば、請求項１に記載の発明と同様にコンピュータを作用させることができるので、請求項１に記載の発明と同様に、被写体の状態に応じた適切な撮影を行うことができる。
【発明の効果】
【００３２】
本発明によれば、被写体を撮像して当該被写体を示す画像情報を取得する撮像手段と、前記撮像手段によって取得された画像情報により示される被写体を表示する表示手段とを備え、本撮影に先立って、前記撮像手段による撮像方向が所定方向に連続的に移動された状態で前記撮像手段によって連続的に取得された画像情報を予備撮影画像情報として記憶手段に記憶する予備撮影を行い、本撮影を行う際に、前記表示手段に対し、前記撮像手段によって連続的に取得された画像情報により示される被写体がリアルタイムで連続的に表示されるように制御すると共に、前記記憶手段によって記憶された前記予備撮影画像情報により示される被写体が予め定められた速度で等速に移動するように表示されるように制御しているので、被写体の状態に応じた適切な撮影を行うことができる、という効果が得られる。
【発明を実施するための最良の形態】
【００３３】
以下、図面を参照して、本発明の実施の形態について詳細に説明する。なお、ここでは、本発明を、静止画像及び動画像の双方の撮影を行う機能を有するデジタルカメラに適用した場合について説明する。
【００３４】
まず、図１を参照して、本実施の形態に係るデジタルカメラ１０の外観上の構成を説明する。
【００３５】
デジタルカメラ１０の正面には、被写体像を結像させるためのレンズ２１と、撮影時に必要に応じて被写体に照射する光を発するストロボ４４と、撮影する被写体の構図を決定するために用いられるファインダ２０と、が備えられている。また、デジタルカメラ１０の上面には、撮影を実行する際に押圧操作されるレリーズスイッチ（所謂シャッター）５６Ａと、電源スイッチ５６Ｂと、モード切替スイッチ５６Ｃと、が備えられている。
【００３６】
なお、本実施の形態に係るデジタルカメラ１０のレリーズスイッチ５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００３７】
そして、デジタルカメラ１０では、レリーズスイッチ５６Ａを半押し状態にすることによりＡＥ（Automatic Exposure、自動露出）機能が働いて露出状態（シャッタースピード、絞りの状態）が設定された後、ＡＦ（Auto Focus、自動合焦）機能が働いて合焦制御され、その後、引き続き全押し状態にすると露光（撮影）が行われる。
【００３８】
また、モード切替スイッチ５６Ｃは、静止画像の撮影を行うモードである静止画撮影モード、動画像の撮影を行うモードである動画撮影モード、及び被写体像を後述するＬＣＤ３８に再生するモードである再生モードの何れかのモードに設定する際に回転操作される。
【００３９】
一方、デジタルカメラ１０の背面には、前述のファインダ２０の接眼部と、撮影された被写体像やメニュー画面等を表示する液晶ディスプレイ（以下、「ＬＣＤ」という。）３８と、十字カーソルスイッチ５６Ｄと、が備えられている。なお、十字カーソルスイッチ５６Ｄは、ＬＣＤ３８の表示領域における上・下・左・右の４方向の移動方向を示す４つの矢印キーを含んで構成されている。
【００４０】
更に、デジタルカメラ１０の背面には、ＬＣＤ３８にメニュー画面を表示させるときに押圧操作されるメニュースイッチと、それまでの操作内容を確定するときに押圧操作される決定スイッチ５６Ｅと、直前の操作内容をキャンセルするときに押圧操作されるキャンセルスイッチとが備えられている。
【００４１】
次に、図２を参照して、本実施の形態に係るデジタルカメラ１０の電気系の要部構成を説明する。
【００４２】
デジタルカメラ１０は、前述のレンズ２１を含んで構成された光学ユニット２２と、レンズ２１の光軸後方に配設された電荷結合素子（以下、「ＣＣＤ」という。）２４と、入力されたアナログ信号に対して各種のアナログ信号処理を行うアナログ信号処理部２６と、を含んで構成されている。
【００４３】
また、デジタルカメラ１０は、入力されたアナログ信号をデジタルデータに変換するアナログ／デジタル変換器（以下、「ＡＤＣ」という。）２８と、入力されたデジタルデータに対して各種のデジタル信号処理を行うデジタル信号処理部３０と、を含んで構成されている。
【００４４】
なお、デジタル信号処理部３０は、所定容量のラインバッファを内蔵し、入力されたデジタルデータを後述するメモリ４８の所定領域に直接記憶させる制御も行う。
【００４５】
ＣＣＤ２４の出力端はアナログ信号処理部２６の入力端に、アナログ信号処理部２６の出力端はＡＤＣ２８の入力端に、ＡＤＣ２８の出力端はデジタル信号処理部３０の入力端に、各々接続されている。従って、ＣＣＤ２４から出力された被写体像を示すアナログ信号はアナログ信号処理部２６によって所定のアナログ信号処理が施され、ＡＤＣ２８によってデジタル画像データに変換された後にデジタル信号処理部３０に入力される。
【００４６】
一方、デジタルカメラ１０は、被写体像やメニュー画面等をＬＣＤ３８に表示させるための信号を生成してＬＣＤ３８に供給するＬＣＤインタフェース３６と、デジタルカメラ１０全体の動作を司るＣＰＵ（中央処理装置）４０と、撮像により得られたデジタル画像データ等を一時的に記憶するメモリ４８と、メモリ４８に対するアクセスの制御を行うメモリインタフェース４６と、を含んで構成されている。
【００４７】
更に、デジタルカメラ１０は、可搬型のメモリカード５２をデジタルカメラ１０でアクセス可能とするための外部メモリインタフェース５０と、デジタル画像データに対する圧縮処理及び伸張処理を行う圧縮・伸張処理回路５４と、を含んで構成されている。
【００４８】
なお、本実施の形態のデジタルカメラ１０では、メモリ４８としてフラッシュ・メモリ（Flash Memory）が用いられ、メモリカード５２としてｘＤピクチャカード（登録商標）が用いられている。
【００４９】
デジタル信号処理部３０、ＬＣＤインタフェース３６、ＣＰＵ４０、メモリインタフェース４６、外部メモリインタフェース５０及び圧縮・伸張処理回路５４はシステムバスＢＵＳを介して相互に接続されている。従って、ＣＰＵ４０は、デジタル信号処理部３０及び圧縮・伸張処理回路５４の作動の制御、ＬＣＤ３８に対するＬＣＤインタフェース３６を介した各種情報の表示、メモリ４８及びメモリカード５２へのメモリインタフェース４６ないし外部メモリインタフェース５０を介したアクセスを各々行うことができる。
【００５０】
一方、デジタルカメラ１０には、主としてＣＣＤ２４を駆動させるためのタイミング信号を生成してＣＣＤ２４に供給するタイミングジェネレータ３２が備えられており、ＣＣＤ２４の駆動はＣＰＵ４０によりタイミングジェネレータ３２を介して制御される。
【００５１】
更に、デジタルカメラ１０にはモータ駆動部３４が備えられており、光学ユニット２２に備えられた図示しない焦点調整モータ、ズームモータ及び絞り駆動モータの駆動もＣＰＵ４０によりモータ駆動部３４を介して制御される。
【００５２】
すなわち、本実施の形態に係るレンズ２１は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、これらのモータは各々ＣＰＵ４０の制御によりモータ駆動部３４から供給された駆動信号によって駆動される。
【００５３】
更に、前述のレリーズスイッチ５６Ａ、電源スイッチ５６Ｂ、モード切替スイッチ５６Ｃ、十字カーソルスイッチ５６Ｄ、決定スイッチ５６Ｅ等の各種スイッチ（同図では、「操作部５６」と総称。）はＣＰＵ４０に接続されており、ＣＰＵ４０は、これらの操作部５６に対する操作状態を常時把握できる。
【００５４】
また、デジタルカメラ１０には、ストロボ４４とＣＰＵ４０との間に介在されると共に、ＣＰＵ４０の制御によりストロボ４４を発光させるための電力を充電する充電部４２が備えられている。更に、ストロボ４４はＣＰＵ４０にも接続されており、ストロボ４４の発光はＣＰＵ４０によって制御される。
【００５５】
次に、本実施の形態に係るデジタルカメラ１０の撮影時における全体的な動作について簡単に説明する。
【００５６】
まず、ＣＣＤ２４は、光学ユニット２２を介した撮像を行い、被写体像を示すＲ（赤）、Ｇ（緑）、Ｂ（青）毎のアナログ信号をアナログ信号処理部２６に順次出力する。アナログ信号処理部２６は、ＣＣＤ２４から入力されたアナログ信号に対して相関二重サンプリング処理等のアナログ信号処理を施した後にＡＤＣ２８に順次出力する。
【００５７】
ＡＤＣ２８は、アナログ信号処理部２６から入力されたＲ、Ｇ、Ｂ毎のアナログ信号を各々１２ビットのＲ、Ｇ、Ｂの信号（デジタル画像データ）に変換してデジタル信号処理部３０に順次出力する。デジタル信号処理部３０は、内蔵しているラインバッファにＡＤＣ２８から順次入力されるデジタル画像データを蓄積して一旦メモリ４８の所定領域に直接格納する。
【００５８】
メモリ４８の所定領域に格納されたデジタル画像データは、ＣＰＵ４０による制御に応じてデジタル信号処理部３０により読み出され、所定の物理量に応じたＲ，Ｇ，Ｂ毎のデジタルゲインをかけることでホワイトバランス調整を行うと共に、ガンマ処理及びシャープネス処理を行って８ビットのデジタル画像データを生成する。
【００５９】
そして、デジタル信号処理部３０は、生成した８ビットのデジタル画像データに対しＹＣ信号処理を施して輝度信号Ｙとクロマ信号Ｃｒ、Ｃｂ（以下、「ＹＣ信号」という。）を生成し、ＹＣ信号をメモリ４８の上記所定領域とは異なる領域に格納する。
【００６０】
なお、ＬＣＤ３８は、ＣＣＤ２４による連続的な撮像によって得られた動画像（スルー画像）を表示してファインダとして使用することができるものとして構成されており、ＬＣＤ３８をファインダとして使用する場合には、生成したＹＣ信号を、ＬＣＤインタフェース３６を介して順次ＬＣＤ３８に出力する。これによってＬＣＤ３８にスルー画像が表示されることになる。
【００６１】
ここで、静止画撮影モードが設定されている場合、レリーズスイッチ５６Ａがユーザによって半押し状態とされたタイミングで前述のようにＡＥ機能が働いて露出状態が設定された後、ＡＦ機能が働いて合焦制御され、その後、引き続き全押し状態とされたタイミングで、その時点でメモリ４８に格納されているＹＣ信号を、圧縮・伸張処理回路５４によって所定の圧縮形式（本実施の形態では、ＪＰＥＧ形式）で圧縮した後に外部メモリインタフェース５０を介してメモリカード５２に電子化ファイルとして記録することにより撮影が行われる。
【００６２】
一方、動画撮影モードが設定されている場合には、レリーズスイッチ５６Ａが全押し状態とされたタイミングで、その時点からメモリ４８に格納されるＹＣ信号を、所定期間毎に時系列で圧縮・伸張処理回路５４により所定の圧縮形式（本実施の形態では、Ｍｏｔｉｏｎ  ＪＰＥＧ形式）で圧縮した後に外部メモリインタフェース５０を介してメモリカード５２に順次記録していき、再度レリーズスイッチ５６Ａが全押し状態とされたタイミングで、当該記録動作を終了することにより撮影が行われる。
【００６３】
ところで、本実施の形態に係るデジタルカメラ１０には、静止している被写体（以下、「撮影対象被写体」という。）に対する、デジタルカメラ１０による撮影方向を所定方向に移動させた状態（本実施の形態では、水平方向に移動させた状態（パンさせた状態）、又は上下方向に移動させた状態（チルトさせた状態））での動画像の撮影（以下、「本撮影」という。）に先立って、ＣＣＤ２４による撮像方向が上記所定方向に連続的に移動された状態でＣＣＤ２４によって連続的に取得されたデジタル画像データを予備撮影画像情報としてメモリカード５２に記憶する予備撮影を行い、本撮影を行う際に、ＬＣＤ３８に対し、ＣＣＤ２４によって連続的に取得されたデジタル画像データにより示される被写体がリアルタイムで連続的に表示されるように制御すると共に、メモリカード５２によって記憶された予備撮影画像情報により示される被写体が予め定められた速度で等速に移動するように表示されるように制御する動画撮影補助機能が搭載されている。
【００６４】
次に、本実施の形態に係る動画撮影補助機能の実行時におけるデジタルカメラ１０の作用を説明する。なお、ここでは、錯綜を回避するために、上記所定方向として水平方向を適用し、デジタルカメラ１０に対して、動画撮影を行う際の撮影方向の移動方向が水平方向である（パンニングして動画撮影を行う）ことが予め設定されている場合について説明する。
【００６５】
まず、図３を参照して、予備撮影を行う際のデジタルカメラ１０の作用を説明する。なお、図３は、動画撮影モードが設定されており、かつユーザによって予備撮影を行う旨の指示入力が行われたときに、デジタルカメラ１０のＣＰＵ４０によって実行される予備撮影処理プログラムの処理の流れを示すフローチャートであり、当該プログラムはメモリ４８の所定領域に予め記憶されている。
【００６６】
この際、ユーザは、本撮影を行う際における撮影対象被写体に対する撮影範囲を含むように、デジタルカメラ１０をパンさせた状態で動画像の撮影を行う。
【００６７】
そこで、まず、同図のステップ１００では、ユーザによりレリーズスイッチ５６Ａが全押し状態とされるまで待機することにより動画像の撮影の開始指示待ちを行い、次のステップ１０２にて、動画像の撮影を開始する。本ステップ１０２の処理により、デジタル画像データ（本実施の形態では、圧縮・伸張処理回路５４による圧縮処理後のＹＣ信号）の所定フレームレート（本実施の形態では、３０ｆｐｓ）でのメモリカード５２への記録（動画像の撮影）が開始される。
【００６８】
次のステップ１０４では、ユーザによりレリーズスイッチ５６Ａが再び全押し状態とされるまで待機することにより動画像の撮影の終了指示待ちを行い、次のステップ１０６にて、動画像の撮影を停止する。なお、以上の処理によってメモリカード５２に記録された動画像のデジタル画像データを以下では「予備撮影画像情報」という。
【００６９】
次のステップ１０８では、動画撮影補助機能により、予備撮影画像情報により示される被写体をＬＣＤ３８によって表示（再生）する際の当該被写体の移動速度が、次の（１）式により示される関係が成立する速度で、かつ当該被写体が等速に移動するように、予備撮影画像情報を調整する。なお、図４に示されるように、（１）式におけるＸは上記所定方向（本実施の形態では、水平方向）に対するＣＣＤ２４の画素数を、ΔＸは予備撮影画像情報により示される被写体の時系列順で隣接するフレーム画像間の移動画素数を、ＮはＣＣＤ２４によるフレームレートを、各々示す。
【００７０】
【数２】
0004828486.tif 000003
ここで、上記移動画素数ΔＸは、従来既知の相関法や勾配法等の対応点検出技術を利用することにより得ることができる。また、上記予備撮影画像情報の調整は、一例として図５に模式的に示されるように、予備撮影画像情報に対するフレーム画像情報の削除及びフレーム画像情報の挿入の少なくとも一方を行うことにより行うことができる。なお、予備撮影画像情報の調整法は、この方法に限らないことは言うまでもない。
【００７１】
本ステップ１０８の処理が終了すると本予備撮影処理プログラムが終了される。
【００７２】
ところで、本実施の形態に係るデジタルカメラ１０には、本撮影に先立ち、予備撮影画像情報により示される複数の被写体が撮影時間順かつ連続的にＬＣＤ３８により表示されている状態で、ユーザに対して本撮影を開始したい被写体が表示された第１のタイミングと本撮影を終了したい被写体が表示された第２のタイミングを指定させ、上記第１のタイミングを示す情報を撮影開始情報として記憶すると共に、上記第２のタイミングを示す情報を撮影終了情報として記憶しておき、本撮影を行う際に、上記撮影開始情報により示される第１のタイミングに対応する被写体がＬＣＤ３８により表示された時点で撮影開始を指示する指示情報を出力し、上記撮影終了情報により示される第２のタイミングに対応する被写体がＬＣＤ３８により表示された時点で撮影終了を指示する指示情報を出力する撮影期間提示機能が搭載されている。
【００７３】
なお、本実施の形態に係るデジタルカメラ１０では、上記指示情報の出力を、ＬＣＤ３８による表示により行う場合について説明するが、これに限定されるものではなく、例えば、デジタルカメラ１０にブザー等の音声生成装置を設けておき、当該音声生成装置による所定音の再生により行う形態等、他の形態とすることもできることは言うまでもない。
【００７４】
次に、図６を参照して、上記撮影開始情報及び撮影終了情報を記憶する際のデジタルカメラ１０の作用を説明する。なお、図６は、ユーザによって上記撮影開始情報及び撮影終了情報を記憶する旨の指示入力が行われたときに、デジタルカメラ１０のＣＰＵ４０によって実行される撮影タイミング設定処理プログラムの処理の流れを示すフローチャートであり、当該プログラムもメモリ４８の所定領域に予め記憶されている。
【００７５】
同図のステップ２００では、上記予備撮影処理プログラムによって得られた予備撮影画像情報をメモリカード５２から読み出し、当該予備撮影画像情報により示される被写体のＬＣＤ３８による表示（再生）を開始する。
【００７６】
ここで、ユーザは、本撮影を開始したい被写体がＬＣＤ３８により表示されたとき（第１のタイミング）、及び本撮影を終了したい被写体がＬＣＤ３８により表示されたとき（第２のタイミング）に所定スイッチ（本実施の形態では、決定スイッチ５６Ｅ）を押圧操作する。
【００７７】
そこで、次のステップ２０２では、上記所定スイッチの押圧操作待ちを行い、次のステップ２０４にて、この時点のタイミングを示す情報を上記撮影開始情報としてメモリカード５２の所定領域に記憶する。なお、本実施の形態に係るデジタルカメラ１０では、上記撮影開始情報として、このときＬＣＤ３８により表示されている被写体のフレーム番号を示す情報を適用しているが、これに限らず、例えば、上記ステップ２００の処理により予備撮影画像情報により示される被写体の再生が開始されてからの経過時間を示す情報を適用する形態等、他の形態とすることもできることは言うまでもない。
【００７８】
次のステップ２０６では、上記所定スイッチの押圧操作待ちを行い、次のステップ２０８にて、この時点のタイミングを示す情報を上記撮影終了情報としてメモリカード５２の所定領域に記憶する。なお、本実施の形態に係るデジタルカメラ１０では、上記撮影終了情報としても、このときＬＣＤ３８により表示されている被写体のフレーム番号を示す情報を適用しているが、これに限らず、この場合も、例えば、上記ステップ２００の処理により予備撮影画像情報により示される被写体の再生が開始されてからの経過時間を示す情報を適用する形態等、他の形態とすることもできることは言うまでもない。
【００７９】
次のステップ２１０では、上記ステップ２００の処理によって開始した被写体の再生を終了し、その後に本撮影タイミング設定処理プログラムを終了する。
【００８０】
次に、図７を参照して、本撮影を行う際のデジタルカメラ１０の作用を説明する。なお、図７は、動画撮影モードが設定されており、かつユーザによって本撮影を行う旨の指示入力が行われたときに、デジタルカメラ１０のＣＰＵ４０によって実行される本撮影処理プログラムの処理の流れを示すフローチャートであり、当該プログラムもメモリ４８の所定領域に予め記憶されている。
【００８１】
同図のステップ３００では、上記予備撮影処理プログラムによって得られた予備撮影画像情報をメモリカード５２から読み出し、当該予備撮影画像情報により示される１フレーム目の被写体がＬＣＤ３８により表示（再生）されると共に、ＣＣＤ２４によって連続的に取得されたデジタル画像データにより示される被写体（スルー画像）がリアルタイムで連続的にＬＣＤ３８により表示されるように制御する。
【００８２】
図８には、上記ステップ３００の処理によるＬＣＤ３８の表示画像の一例が示されている。同図に示されるように、本実施の形態に係るデジタルカメラ１０では、当該表示画像として、ＬＣＤ３８の表示領域における上側に予備撮影画像情報により示される被写体（以下、「予備撮影画像」という。）が表示され、下側にスルー画像が表示される。このとき、ＣＰＵ４０は、上記予備撮影画像とスルー画像とを前記所定方向（本実施の形態では、水平方向）に直交する方向（垂直方向）に並べて表示するようにＬＣＤ３８を制御する。
【００８３】
同図に示される画像がＬＣＤ３８に表示されると、ユーザは、スルー画像が、表示されている予備撮影画像と同様の状態となるようにデジタルカメラ１０による撮影方向を位置決めする。そして、ユーザは、当該位置決めの後、上記予備撮影画像情報により示される被写体の再生（動画像の再生）を開始させるために所定スイッチ（本実施の形態では、決定スイッチ５６Ｅ）を押圧操作する。
【００８４】
そこで、次のステップ３０２では、上記所定スイッチが押圧操作されるまで待機し、次のステップ３０４では、読み出した予備撮影画像情報により示される被写体（予備撮影画像）の再生を開始する。
【００８５】
ここで、ユーザは、スルー画像により示される被写体が、予備撮影画像により示される被写体の移動に追随するようにデジタルカメラ１０の撮影方向を移動させる。そして、ユーザは、本撮影を開始する際にレリーズスイッチ５６Ａを全押し状態とし、本撮影を終了する際にレリーズスイッチ５６Ａを再び全押し状態とする。
【００８６】
そこで、次のステップ３０６では、レリーズスイッチ５６Ａが全押し状態とされたか否かを判定することにより、本撮影の開始が指示されたか否かを判定し、肯定判定となった場合はステップ３１２に移行する一方、否定判定となった場合にはステップ３０８に移行する。
【００８７】
ステップ３０８では、上記撮影タイミング設定処理プログラムにより記憶された撮影開始情報により示される被写体がＬＣＤ３８により表示されたか否かを判定することにより、ユーザにより本撮影を開始したいタイミングとして設定された第１のタイミングが到来したか否かを判定し、肯定判定となった場合はステップ３１０に移行する。
【００８８】
ステップ３１０では、ＬＣＤ３８により撮影開始をユーザに対して指示する指示情報（一例として、「撮影を開始してください。」との文字列情報）を表示させ、その後に上記ステップ３０６に戻る。なお、上記ステップ３０８において否定判定となった場合は、上記ステップ３１０の処理を実行することなく上記ステップ３０６に戻る。
【００８９】
ユーザは、上記ステップ３１０の処理によって指示情報がＬＣＤ３８により表示されたタイミングでレリーズスイッチ５６Ａを全押し状態とすることにより、ユーザ自身が指定した開始タイミングで本撮影を開始することができる。
【００９０】
ステップ３１２では、動画像の撮影を開始する。本ステップ３１２の処理により、デジタル画像データ（本実施の形態では、圧縮・伸張処理回路５４による圧縮処理後のＹＣ信号）の所定フレームレート（本実施の形態では、３０ｆｐｓ）でのメモリカード５２への記録（動画像の撮影）が開始される。
【００９１】
次のステップ３１４では、レリーズスイッチ５６Ａが再び全押し状態とされたか否かを判定することにより、本撮影の終了が指示されたか否かを判定し、肯定判定となった場合はステップ３２０に移行する一方、否定判定となった場合にはステップ３１６に移行する。
【００９２】
ステップ３１６では、上記撮影タイミング設定処理プログラムにより記憶された撮影終了情報により示される被写体がＬＣＤ３８により表示されたか否かを判定することにより、ユーザにより本撮影を終了したいタイミングとして設定された第２のタイミングが到来したか否かを判定し、肯定判定となった場合はステップ３１８に移行する。
【００９３】
ステップ３１８では、ＬＣＤ３８により撮影終了をユーザに対して指示する指示情報（一例として、「撮影を終了してください。」との文字列情報）を表示させ、その後に上記ステップ３１４に戻る。なお、上記ステップ３１６において否定判定となった場合は、上記ステップ３１８の処理を実行することなく上記ステップ３１４に戻る。
【００９４】
ユーザは、上記ステップ３１８の処理によって指示情報がＬＣＤ３８により表示されたタイミングでレリーズスイッチ５６Ａを全押し状態とすることにより、ユーザ自身が指定した終了タイミングで本撮影を終了することができる。
【００９５】
ステップ３２０では、動画像の撮影を停止し、その後に本本撮影処理プログラムを終了する。なお、以上の処理によってメモリカード５２に記録された動画像のデジタル画像データを「本撮影画像情報」という。
【００９６】
なお、本本撮影処理プログラムでは、本撮影画像情報を、対応する予備撮影画像情報に関連付けてメモリカード５２に記憶するようにしている。本実施の形態に係る本撮影処理プログラムでは、上記関連付けを、本撮影画像情報の電子化ファイルの名称の一部と、対応する予備撮影画像情報の電子化ファイルの名称の一部を共通のものとすることにより行っているが、これに限らず、例えば、本撮影画像情報の電子化ファイルの名称と、対応する予備撮影画像情報の電子化ファイルの名称とを対応付けて記憶するテーブル情報を記憶する形態や、本撮影画像情報の電子化ファイルの名称に、対応する予備撮影画像情報を特定できる情報を組み込んでおく形態等、他の形態とすることもできることは言うまでもない。
【００９７】
ところで、本実施の形態に係るデジタルカメラ１０には、本撮影画像情報により示される被写体の表示を指示する指示情報が入力されたとき、当該本撮影画像情報により示される被写体と、当該本撮影画像情報に対応する前記予備撮影画像情報により示される被写体とを並べてＬＣＤ３８により表示する比較表示機能が搭載されている。
【００９８】
次に、図９を参照して、比較表示機能を働かせる際のデジタルカメラ１０の作用を説明する。なお、図９は、ユーザによって比較表示機能を働かせる旨の指示入力が行われたときに、デジタルカメラ１０のＣＰＵ４０によって実行される比較表示処理プログラムの処理の流れを示すフローチャートであり、当該プログラムもメモリ４８の所定領域に予め記憶されている。
【００９９】
同図のステップ４００では、予め定められた画像選択画面がＬＣＤ３８によって表示されるように制御し、次のステップ４０２にて、所定情報の入力待ちを行う。
【０１００】
図１０には、上記ステップ４００の処理によってＬＣＤ３８により表示される画像選択画面の表示状態例が示されている。同図に示されるように、本実施の形態に係る画像選択画面では、画像の選択を促すメッセージが表示されると共に、この時点でメモリカード５２に記憶されている予備撮影画像情報及び本撮影画像情報のサムネイル（Thumbnail）が、対応するもの同士が隣接されるように一覧表示される。なお、前述したように、本撮影画像情報は、対応する予備撮影画像情報に関連付けられて記憶されているので、対応するもの同士を容易に特定することができる。
【０１０１】
同図に示される画像選択画面がＬＣＤ３８により表示されると、ユーザは、表示したい画像を示すサムネイルの表示領域を十字カーソルスイッチ５６Ｄ等の操作によって指定する。なお、この際に指定するサムネイルは予備撮影画像を示すものでも、本撮影画像を示すものでもよい。ユーザによって表示したい画像が指定されると、上記ステップ４０２が肯定判定となってステップ４０４に移行する。
【０１０２】
ステップ４０４では、ユーザによって指定された画像に対応する予備撮影画像情報及び本撮影画像情報と、当該予備撮影画像情報に対応する撮影開始情報をメモリカード５２から読み出し、次のステップ４０６では、読み出した予備撮影画像情報により示される被写体の再生を開始する。
【０１０３】
次のステップ４０８では、読み出した撮影開始情報により示される被写体のＬＣＤ３８による表示待ちを行うことにより、ユーザにより本撮影を開始したいタイミングとして設定された第１のタイミングの到来待ちを行い、次のステップ４１０にて、上記ステップ４０４の処理によって読み出した本撮影画像情報により示される被写体の再生を開始し、その後に本比較表示処理プログラムを終了する。
【０１０４】
なお、本比較表示処理プログラムでは、予備撮影画像情報により示される被写体と、本撮影画像情報により示される被写体を、一例として図８に示されるものと同様の状態で、並べて表示するようにしている。
【０１０５】
以上詳細に説明したように、本実施の形態では、被写体を撮像して当該被写体を示す画像情報を取得する撮像手段（ここでは、ＣＣＤ２４）と、前記撮像手段によって取得された画像情報により示される被写体を表示する表示手段（ここでは、ＬＣＤ３８）とを備え、本撮影に先立って、前記撮像手段による撮像方向が所定方向に連続的に移動された状態で前記撮像手段によって連続的に取得された画像情報を予備撮影画像情報として記憶手段（ここでは、メモリカード５２）に記憶する予備撮影を行い、本撮影を行う際に、前記表示手段に対し、前記撮像手段によって連続的に取得された画像情報により示される被写体がリアルタイムで連続的に表示されるように制御すると共に、前記記憶手段によって記憶された前記予備撮影画像情報により示される被写体が予め定められた速度で等速に移動するように表示されるように制御しているので、被写体の状態に応じた適切な撮影を行うことができる。
【０１０６】
また、本実施の形態では、前記リアルタイムで連続的に表示される被写体と、前記予備撮影画像情報により示される被写体とを、前記所定方向に直交する方向に並べて表示するように前記表示手段を制御しているので、より違和感なく本撮影を行うことができる結果、より被写体の状態に応じた適切な撮影を行うことができる。
【０１０７】
また、本実施の形態では、前記予め定められた速度を上記（１）式により示される関係が成り立つ速度としているので、本撮影によって得られる画像情報により示される被写体を、撮影方向の移動方向に対するぶれが少ない状態とすることができる結果、高品質な画像情報を得ることができる。
【０１０８】
また、本実施の形態では、予備撮影画像情報に対するフレーム画像情報の削除及びフレーム画像情報の挿入の少なくとも一方によって前記被写体が等速に移動するように表示されるように制御しているので、予備撮影によって得られた被写体の画像を、より簡易に等速移動されるように表示することができる。
【０１０９】
また、本実施の形態では、前記本撮影に先立ち、前記予備撮影画像情報により示される複数の被写体が撮影時間順かつ連続的に表示手段により表示されている状態で、本撮影を開始したい被写体が表示された第１のタイミングと本撮影を終了したい被写体が表示された第２のタイミングで操作される操作手段（ここでは、決定スイッチ５６Ｅ）と、前記第１のタイミングを示す情報を撮影開始情報として記憶すると共に、前記第２のタイミングを示す情報を撮影終了情報として記憶する撮影タイミング記憶手段（ここでは、メモリカード５２）とを備え、前記本撮影を行う際に、前記撮影開始情報により示される第１のタイミングに対応する被写体が前記表示手段により表示された時点で撮影開始を指示する指示情報を出力し、前記撮影終了情報により示される第２のタイミングに対応する被写体が前記表示手段により表示された時点で撮影終了を指示する指示情報を出力するように制御しているので、本撮影時における撮影範囲をユーザによる所望の範囲とすることができる結果、より確実に所望の被写体を撮影することができる。
【０１１０】
また、本実施の形態では、前記本撮影を行う際に、当該本撮影によって得られた画像情報を本撮影画像情報として前記記憶手段に記憶する制御を行い、前記本撮影画像情報により示される被写体の表示を指示する指示情報が入力されたとき、前記本撮影画像情報により示される被写体と、当該本撮影画像情報に対応する前記予備撮影画像情報により示される被写体とを並べて表示するように前記表示手段を制御しているので、予備撮影時に得られた画像と、本撮影時に得られた画像を同時に参照することができる結果、これらの画像を容易に比較検討することができる。
【０１１１】
特に、本実施の形態では、前記本撮影画像情報を、対応する前記予備撮影画像情報に関連付けて前記記憶手段に記憶しているので、本撮影画像情報と、これに対応する予備撮影画像情報とを容易に特定することができる結果、各画像情報の管理を容易に行うことができる。
【０１１２】
なお、本実施の形態では、画像選択画面として図１０に示されるものを適用した場合について説明したが、本発明はこれに限定されるものではなく、例えば、図１１に示されるものを適用する形態とすることもできる。同図に示される画像選択画面では、本撮影画像を示すサムネイルが表示されると共に、当該本撮影画像に対応する予備撮影画像が存在することを示すアイコン（Icon）６０がサムネイルに重ねられた状態で表示される。この場合、１つの撮影対象に対して１つのサムネイルのみが表示されるので、より多くの撮影対象を示す画像を選択対象とする画像として表示することができる結果、利便性を向上させることができる。
【０１１３】
また、本実施の形態では、予備撮影画像情報の調整を予備撮影処理プログラムによって行う場合について説明したが、本発明はこれに限定されるものではなく、撮影タイミング設定処理プログラムの実行時や、本撮影処理プログラムの実行時に行う形態とすることもできる。この場合も、本実施の形態と同様の効果を奏することができる。
【０１１４】
また、本実施の形態では、本撮影に先立ち、予備撮影画像を再生した状態で本撮影時の撮影を開始するタイミングと終了するタイミングをユーザに指定させ、指定されたタイミングで撮影開始及び撮影終了を指示する指示情報を出力する場合について説明したが、本発明はこれに限定されるものではなく、本撮影を行う際に、ＣＣＤ２４によって取得されたデジタル画像データにより示される被写体の各フレーム画像間の移動量が増加状態から略一定量状態に移行した時点で撮影開始を指示する指示情報を出力し、前記移動量が前記略一定量状態から減少状態に移行した時点で撮影終了を指示する指示情報を出力するように制御する形態としてもよい。
【０１１５】
なお、上記被写体の各フレーム間の移動量は従来既知の相関法や勾配法等の対応点検出技術を利用することにより得ることができる。また、この場合、上記本撮影処理プログラムのステップ３０８の処理が、上記移動量が増加状態から略一定量状態に移行したか否かを判定することによって撮影開始タイミングが到来したか否かを判定するものとなり、ステップ３１６の処理が、上記移動量が前記略一定量状態から減少状態に移行したか否かを判定することによって撮影終了タイミングが到来したか否かを判定するものとなる。これにより、本撮影時における撮影範囲を、デジタルカメラの移動速度が略等速となっている範囲内とすることができる結果、より高品質な画像情報を得ることができる。
【０１１６】
また、本実施の形態では、対応点検出技術を利用して（１）式の関係を導出する場合について説明したが、本発明はこれに限定されるものではなく、例えば、一例として図１２に示すように、デジタルカメラ１０に角速度センサ６２を設けておき、次の（２）式によって（１）式の関係を導出する形態とすることもできる。
【０１１７】
【数３】
0004828486.tif 000004
ここで、ズームポジションは、本撮影時のレンズ２１による焦点距離をワイド端の焦点距離で除算して得られる値である。例えば、ワイド端の焦点距離が３５ｍｍ、本撮影時の焦点距離が７０ｍｍである場合には‘２’となる。
【０１１８】
また、デフォルト角速度は、デジタルカメラ１０の設計時等に（１）式が成立するように予め定められたデジタルカメラ１０の角速度であり、このときの条件としてはズームポジションが‘１’で、記録解像度もプリセットの値とする。
【０１１９】
また、パン角速度は、角速度センサ６２を用いて測定した予備撮影時の平均角速度である。また、記録解像度係数は、本撮影時の記録解像度をプリセットの記録解像度で除算して得られる値であり、例えば、プリセットの記録解像度がＱＶＧＡであり、本撮影時の記録解像度がＶＧＡである場合には‘２’となる。更に、Ｋは、（２）式を調整する調整係数であり、通常‘１’が適用され、デジタルカメラ１０の種類によっては当該種類に応じた値として適用するものである。なお、上記角速度センサ６２に代えて３次元センサを適用することもできる。
【０１２０】
この場合も、本実施の形態と同様の効果を奏することができる。
【０１２１】
また、本実施の形態では、本発明の予備撮影及び本撮影として動画撮影を適用した場合について説明したが、本発明はこれに限定されるものではなく、例えば、連写による撮影を適用する形態とすることもできる。この場合も、本実施の形態と同様の効果を奏することができる。
【０１２２】
その他、本実施の形態に係るデジタルカメラ１０の構成（図１，図２参照。）は一例であり、本発明の主旨を逸脱しない範囲内において適宜変更可能であることは言うまでもない。
【０１２３】
また、本実施の形態で示した各種表示画面の表示状態（図８，図１０，図１１）も一例であり、本発明の主旨を逸脱しない範囲内において適宜変更可能であることは言うまでもない。
【０１２４】
更に、本実施の形態において説明した各種プログラムの処理の流れ（図３，図６，図７，図９参照。）も一例であり、本発明の主旨を逸脱しない範囲内において、各ステップの処理順序の変更、処理内容の変更、不要なステップの削除、新たなステップの追加等を行うことができることは言うまでもない。
【０１２５】
また、本実施の形態では、本発明をデジタル電子スチルカメラに適用した場合について説明したが、本発明はこれに限定されるものではなく、例えば、デジタルビデオカメラ、携帯電話機、ＰＤＡ等の撮影機能を有する他の情報機器に適用することができることも言うまでもない。
【図面の簡単な説明】
【０１２６】
【図１】実施の形態に係るデジタルカメラの外観を示す外観図である。
【図２】実施の形態に係るデジタルカメラの電気系の要部構成を示すブロック図である。
【図３】実施の形態に係る予備撮影処理プログラムの処理の流れを示すフローチャートである。
【図４】実施の形態に係る画素数Ｘ及び移動画素数ΔＸの具体例を示す概略図である。
【図５】実施の形態に係る予備撮影画像情報の調整の説明に供する模式図である。
【図６】実施の形態に係る撮影タイミング設定処理プログラムの処理の流れを示すフローチャートである。
【図７】実施の形態に係る本撮影処理プログラムの処理の流れを示すフローチャートである。
【図８】実施の形態に係る本撮影処理プログラムによりＬＣＤによって表示される画像の表示状態例を示す概略図である。
【図９】実施の形態に係る比較表示処理プログラムの処理の流れを示すフローチャートである。
【図１０】実施の形態に係る画像選択画面の表示状態例を示す概略図である。
【図１１】実施の形態に係る画像選択画面の表示状態の他の例を示す概略図である。
【図１２】実施の形態に係るデジタルカメラの変形例の説明に供するブロック図である。
【符号の説明】
【０１２７】
１０    デジタルカメラ
２４    ＣＣＤ（撮像手段）
３８    ＬＣＤ（表示手段）
４０    ＣＰＵ（予備撮影手段、制御手段）
５２    メモリカード（記憶手段、撮影タイミング記憶手段）
５６Ｅ    決定スイッチ（操作手段）
【図１】
0004828486.tif 000006
【図２】
0004828486.tif 000007
【図３】
0004828486.tif 000008
【図４】
0004828486.tif 000009
【図６】
0004828486.tif 000010
【図７】
0004828486.tif 000011
【図９】
0004828486.tif 000012
【図１０】
0004828486.tif 000013
【図１１】
0004828486.tif 000014
【図１２】
0004828486.tif 000015
【図５】
0004828486.tif 000016
【図８】
0004828486.tif 000017